(57)【特許請求の範囲】
【請求項１】
上下方向へ開閉動作する開閉体と、該開閉体をその上方側で巻き取ったり繰り出したりする巻取軸と、前記巻取軸を回転可能に支持する軸受ブラケットと、前記巻取軸に対しその開閉体厚さ方向側に略平行に設けられた開閉機と、前記開閉機を巻取軸側から支持する支持部材と、前記巻取軸の端部側に設けられた従動スプロケットと、前記開閉機の出力軸の端部側に設けられた駆動スプロケットと、前記従動スプロケット及び前記駆動スプロケットに巻かれたチェーンとを備え、前記開閉体を前記巻取軸の反開閉機側に吊持するようにしたシャッター装置において、前記従動スプロケットと前記駆動スプロケットの間における前記チェーンの下側部分の下方に、前記チェーンの下側部分が所定量弛んだ際に、その弛んだ部分を感知するように感知部を設けたシャッター装置におけるチェーンテンション調整方法であって、
前記感知部により前記チェーンの弛みを感知した場合に、前記開閉機の反スプロケット側を前記支持部材から引き離し、前記開閉機と前記支持部材の隙間にスペーサを挿入し、前記開閉機の反スプロケット側を前記支持部材側へ押し戻すようにしたことを特徴とするシャッター装置におけるチェーンテンション調整方法。
【請求項２】
前記開閉機が複数本の軸状部材によって前記支持部材に固定され、前記スペーサが、前記複数本の軸状部材を挿通可能な単数又は複数の切欠部を有する一体の部材であることを特徴とする請求項１記載のチェーンテンション調整方法。
【請求項３】
上下方向へ開閉動作する開閉体と、該開閉体をその上方側で巻き取ったり繰り出したりする巻取軸と、前記巻取軸を回転可能に支持する軸受ブラケットと、前記巻取軸に対しその開閉体厚さ方向側に略平行に設けられた開閉機と、前記開閉機を巻取軸側から支持する支持部材と、前記巻取軸の端部側に設けられた従動スプロケットと、前記開閉機の出力軸の端部側に設けられた駆動スプロケットと、前記従動スプロケット及び前記駆動スプロケットに巻かれたチェーンとを備え、前記開閉体を前記巻取軸の反開閉機側に吊持するようにしたシャッター装置において、前記従動スプロケットと前記駆動スプロケットの間における前記チェーンの下側部分の下方に、前記チェーンの下側部分が所定量弛んだ際に、その弛んだ部分を感知するように感知部を設けたシャッター装置であって、
前記開閉機と前記支持部材との間にスペーサが設けられ、前記開閉機が前記スペーサに挿通される複数本の軸状部材によって前記支持部材に固定され、
前記スペーサは、切欠部を有するとともに、該切欠部に、前記軸状部材を挿通していることを特徴とするシャッター装置。
【請求項４】
前記切欠部の開口を、上方又は下方へ向けていることを特徴とする請求項３記載のシャッター装置。
【請求項５】
前記切欠部の開口を、横方向へ向けていることを特徴とする請求項３記載のシャッター装置。
【請求項６】
前記感知部は、前記チェーンの下側部分の長手方向に沿って長尺状に設けられるとともにその端部側を前記軸受ブラケットに固定した撓み片部と、該撓み片部の撓み方向側に設けられて撓んだ際の前記撓み片部を検知するスイッチ部とを具備してなることを特徴とする請求項３乃至５何れか１項記載のシャッター装置。
【発明の詳細な説明】
【技術分野】
【０００１】
本発明は、開閉機の回転力をチェーンを介して巻取軸に伝達するようにしているシャッター装置及び該シャッター装置におけるチェーンテンション調整方法に関するものである。
【背景技術】
【０００２】
シャッター装置における動力伝達用チェーンの弛み（緩み）は、歯飛びの原因となる上、放置すると、チェーン切断やスプロケットの損傷、シャッターカーテンの落下等に至るおそれがある。そこで、例えば、特許文献１に示される従来技術では、駆動スプロケットと従動スプロケットの間におけるチェーンの上方側に、該チェーンを下方向きに付勢するテンショナーを設け、該テンショナーの揺動を感知することによってチェーンの緩みを検知し、駆動源を停止するようにしている。
【０００３】
ところで、前記従来技術によれば、駆動スプロケットと従動スプロケットの間におけるチェーンの上側部分は、従動スプロケットと一体的な巻取軸に吊持された開閉体の重量によって引き張られる。そのため、前記チェーンに伸びが生じたとしても、前記チェーンの上側部分は弛み難く、前記テンショナーによる感知が行われないおそれがある。また、前記従来技術では、揺動自在な前記テンショナーをチェーンに対し常時接触させる構造であるため、その接触に起因して騒音や振動等の問題を生じるおそれもある。
また、チェーンの弛みを検知した後は、その弛みを速やかに解消することが求められる。
【先行技術文献】
【特許文献】
【０００４】
【特許文献１】特開２００５−１８８２３６号公報
【特許文献２】特開平３−６８２９９号公報
【発明の概要】
【発明が解決しようとする課題】
【０００５】
本発明は、このような問題に対処することを課題の一例とするものである。すなわち、チェーンの弛みを簡素な構造でもって精度よく検知すること、通常状態でチェーンとの接触による騒音や振動等を生じにくくすること、チェーンの弛みを検知した後にその弛みを速やかに解消すること、等が本発明の目的である。
【課題を解決するための手段】
【０００６】
上記課題を解決するための一手段は、上下方向へ開閉動作する開閉体と、該開閉体をその上方側で巻き取ったり繰り出したりする巻取軸と、前記巻取軸を回転可能に支持する軸受ブラケットと、前記巻取軸に対しその開閉体厚さ方向側に略平行に設けられた開閉機と、前記開閉機を巻取軸側から支持する支持部材と、前記巻取軸の端部側に設けられた従動スプロケットと、前記開閉機の出力軸の端部側に設けられた駆動スプロケットと、前記従動スプロケット及び前記駆動スプロケットに巻かれたチェーンとを備え、前記開閉体を前記巻取軸の反開閉機側に吊持するようにしたシャッター装置において、前記従動スプロケットと前記駆動スプロケットの間における前記チェーンの下側部分の下方に、前記チェーンの下側部分が所定量弛んだ際に、その弛んだ部分を感知するように感知部を設けたシャッター装置におけるチェーンテンション調整方法であって、前記感知部により前記チェーンの弛みを感知した場合に、前記開閉機の反スプロケット側を前記支持部材から引き離し、前記開閉機と前記支持部材の隙間にスペーサを挿入し、前記開閉機の反スプロケット側を前記支持部材側へ押し戻すようにしたことを特徴とする。
【発明の効果】
【０００７】
本発明は、以上説明したように構成されているので、以下に記載されるような作用効果を奏する。
チェーンに伸びが生じた場合、従動スプロケットと駆動スプロケットの間におけるチェーンの上側部分は、巻取軸の反開閉機側に吊持された開閉体の重量により、引き張られた状態になる。一方、従動スプロケットと駆動スプロケットの間におけるチェーンの下側部分には、弛みを生じる。そして、この弛んだ部分は、感知部によって感知される。よって、チェーンの弛みを簡素な構造でもって精度よく感知することができる。
【図面の簡単な説明】
【０００８】
【図１】本発明に係るシャッター装置の一例を示す要部側面図であり、（ａ）は通常状態を示し、（ｂ）は弛んだチェーンを感知した状態を示す。
【図２】同シャッター装置の要部斜視図である。
【図３】本発明に係るシャッター装置の他例を示す要部側面図である。
【図４】（ａ）と（ｂ）の各々にスペーサの一例を示す図である。
【図５】本発明に係るテンション調整方法の一例を示す要部平面図であり、（ａ）はテンション調整前の状態、（ｂ）はテンション調整のために開閉機を動かしスペーサを挿入している状態を示す。
【図６】本発明に係るテンション調整方法の一例を示す要部平面図であり、（ｃ）は開閉機を押し戻した状態、（ｄ）はテンション調整を完了した状態を示す。
【発明を実施するための形態】
【０００９】
本実施の一形態のシャッター装置では、上下方向へ開閉動作する開閉体と、該開閉体をその上方側で巻き取ったり繰り出したりする巻取軸と、前記巻取軸を回転可能に支持する軸受ブラケットと、前記巻取軸に対しその開閉体厚さ方向側に略平行に設けられた開閉機と、前記巻取軸の端部側に設けられた従動スプロケットと、前記開閉機の出力軸の端部側に設けられた駆動スプロケットと、前記従動スプロケット及び前記駆動スプロケットに巻かれたチェーンとを備え、前記開閉体を前記巻取軸の反開閉機側に吊持するようにしたシャッター装置において、前記従動スプロケットと前記駆動スプロケットの間における前記チェーンの下側部分の下方に、前記チェーンの下側部分が所定量弛んだ際に、その弛んだ部分を感知するように感知部を設けた。
【００１０】
さらに、より感知精度を向上するためには、前記感知部を、前記従動スプロケットと前記駆動スプロケットの間における前記チェーンの下側部分の下方であって駆動スプロケット寄りに配置する。
【００１１】
さらに、前記感知部を前記軸受ブラケットに固定する作業を容易にするためには、前記感知部を、磁石により前記軸受ブラケットに固定する。
【００１２】
さらに、前記感知部の位置合わせを容易にするためには、前記軸受ブラケットには、前記感知部を取り付けるための取付案内部が設けられ、該取付案内部は、前記感知部の下端を受ける第１の受部と、前記感知部の開閉体厚さ方向の端部を受ける第２の受部とを有する。
【００１３】
また、より感知性能を向上するとともに、チェーン接触による感知部の損傷を防ぐためには、前記感知部は、前記チェーンの下側部分の長手方向に沿って長尺状に設けられるとともにその端部側を前記軸受ブラケットに固定した撓み片部と、該撓み片部の撓み方向側に設けられて撓んだ際の前記撓み片部を検知するスイッチ部とを具備してなる。
【００１４】
また、前記シャッター装置におけるチェーンテンション調整方法としては、前記開閉機を巻取軸側から支持する支持部材を備え、前記感知部により前記チェーンの弛みを感知した場合に、前記開閉機の反スプロケット側を前記支持部材から引き離し、前記開閉機と前記支持部材の隙間にスペーサを挿入し、前記開閉機の反スプロケット側を前記支持部材側へ押し戻すようにする。
【００１５】
さらに、テンション調整作業を容易にするためには、前記開閉機が複数本の軸状部材によって前記支持部材に固定され、前記スペーサが、前記複数本の軸状部材を挿通可能な単数又は複数の切欠部を有する一体の部材とされる。
【００１６】
なお、本明細書中において「開閉体厚さ方向」とは、閉鎖状態における上記開閉体の厚みの方向を意味する。
また、本明細書中において「開閉体幅方向」とは、上記開閉体の開閉方向と略直交する方向であって、上記開閉体の厚さ方向ではない方向を意味する。
また、本明細書中において「開閉体開閉方向」とは、上記開閉体が空間を仕切ったり開放したりするためにスライドする方向を意味する。
【００１７】
以下、上記形態の好ましい具体例を図面に基づいて詳細に説明する。
シャッター装置１は、図１及び図２に示すように、上下方向へ開閉動作する開閉体１０と、該開閉体１０の幅方向端部を囲んで上下方向へ案内するガイドレール（図示せず）と、該開閉体１０をその上方側で巻き取ったり繰り出したりする巻取軸２０と、前記巻取軸２０を回転可能に支持する軸受ブラケット３０と、前記巻取軸２０に対しその開閉体厚さ方向側に略平行に設けられた開閉機４０と、前記巻取軸２０の端部側に設けられた従動スプロケット５０と、前記開閉機４０の出力軸の端部側に設けられて従動スプロケット５０よりも小径の駆動スプロケット６０と、前記従動スプロケット５０及び前記駆動スプロケット６０に巻かれたチェーン７０とを備え、前記開閉体１０を前記巻取軸２０の反開閉機側（図１によれば右側）に吊持するようにしている。
そして、このシャッター装置１において、従動スプロケット５０と駆動スプロケット６０の間における前記チェーン７０の下側部分７０ａの下方には、前記チェーン７０の下側部分７０ａが所定量弛んだ際に、その弛んだ部分を感知するように感知部８０が設けられている。
【００１８】
開閉体１０は、横長略矩形状の金属板を曲げ加工してなる所謂スラットを、開閉体開閉方向へ複数接続することで開閉体本体１１を構成し、該開閉体本体１１の閉鎖方向端部側（図示例によれば下端側）に、床面や地面、枠部材等の着座対象部位に当接させるための座板１２を接続している。
この開閉体１０の開放方向側の端部は、巻取軸２０の巻取体２１外周面に止着され、開閉体１０の幅方向側の端部は、巻取体２１の軸方向の端部から所定量突出している。
【００１９】
巻取軸２０は、略円筒状の巻取体２１と、該巻取体２１の径方向の中心側に固定されるとともに軸方向の両端側をそれぞれ軸受ブラケット３０によって回転自在に支持された軸本体２２とからなる。
【００２０】
軸受ブラケット３０は、端部側に補強のための曲げ部分を有する金属製の平板状部材であり、その中央側の貫通孔に巻取軸２０の軸本体２２を挿通するとともに、前記貫通孔の周囲に装着したベアリング３１（図４参照）によって軸本体２２を回転自在に支持する。
この軸受ブラケット３０は、磁性体（例えば亜鉛鋼板や、フェライト系ステンレス、その他の磁性鋼板）によって形成される。
【００２１】
この軸受ブラケット３０の外側面（図１によれば手前側面）には、感知部８０を取り付けるための取付案内部３２が設けられる。
この取付案内部３２は、軸受ブラケット３０を部分的に切欠して前記外側へ折り曲げることで略Ｌ字状に形成され、感知部８０の下端を受ける第１の受部３２ａと、同感知部８０の開閉体厚さ方向の端部を受ける第２の受部３２ｂとを有する。
【００２２】
軸受ブラケット３０の内側部（巻取体２１側の面）には、開閉機４０が設けられている。
この開閉機４０は、出力軸４０ａを駆動回転するモータと、該モータの回転を制動するブレーキ装置とを具備する略長尺円筒状に構成され、その出力軸４０ａ側における巻取軸２０側の部分に基台４０ｂを有し、該基台４０ｂを、支持部材４１に止着固定している。
【００２３】
前記支持部材４１は、軸受ブラケット３０に略直立する取付面４１ａを有する部材であり、前記取付面４１ａに複数本の軸状部材４２（図４参照）を挿通している。前記軸状部材４２は、図示例によればボルトであり、そのネジ部分を開閉機４０の基台４０ｂに螺合するとともに、その頭部を前記支持部材４１の取付面４１ａに係止して締め付けられている。
【００２４】
また、開閉機４０の基台４０ｂと前記支持部材４１の間には、チェーン７０のテンション調整のために必要に応じて、スペーサ２００又は２００’が設けられる。
図４（ａ）に示すスペーサ２００は、開閉機４０と支持部材４１との隙間に対し上方又は下方から挿入するようにしたタイプであり、軸状部材４２（ボルト）を挿通可能な開口を上方又は下方（図示例によれば下方）へ向けた切欠部２１０を有する。
【００２５】
また、図１０（ｂ）に示すスペーサ２００’は、開閉機４０と支持部材４１との隙間に対し横方向から挿入するようにしたタイプであり、軸状部材４２（ボルト）を挿通可能な開口を横方へ向けた切欠部２１０’を有する。後述するチェーンテンション調整方法では、このスペーサ２００’を用いる。
【００２６】
軸受ブラケット３０の外側部（反巻取体２１側の面）には、従動スプロケット５０、駆動スプロケット６０及びチェーン７０が設けられている。
【００２７】
従動スプロケット５０は、軸受ブラケット３０の外側（図１によれば手前側）において、軸本体２２の外周に固定される。
駆動スプロケット６０は、開閉機４０の出力軸４０ａに固定される。
チェーン７０は、金属製のローラーチェーンであり、駆動スプロケット６０の回転力を従動スプロケット５０に伝達するように、これら両スプロケットに巻かれている。
【００２８】
感知部８０は、アクチュエータ部が押動されることにより接点をＯＮにする一般的なリミットスイッチ（マイクロスイッチともいう）であり、その側面部分（軸受ブラケット３０との接触面）に永久磁石８１を固定している。
この感知部８０は、駆動スプロケット６０寄りに配置される。より詳細に説明すれば、この取付案内部３２は、チェーン７０の下側部分７０ａにおける長さ方向の略中央部よりも駆動スプロケット６０側において、該下側部分７０ａの下方側に配置される。
そして、この感知部８０は、チェーン７０の下側部分７０ａにその下方側から前記アクチュエータ部を近接させるように、軸受ブラケット３０の取付案内部３２により位置決めされ、前記永久磁石８１によって軸受ブラケット３０に吸着固定される。
【００２９】
次に、上記構成のシャッター装置１について、その特徴的な作用効果を詳細に説明する。
上記シャッター装置１において、チェーン７０が長期間の使用等に起因して延びた場合、従動スプロケット５０と駆動スプロケット６０の間におけるチェーン７０の下側部分７０ａに弛みを生じる。
すなわち、従動スプロケット５０には、巻取軸２０の反開閉機４０側に吊持された開閉体１０の重量により、チェーン７０の上側部分７０ｂを引き張る方向（図１によれば時計方向）の回転力が生じる。したがって、チェーン７０の上側部分７０ｂは弛み難いが、同チェーン７０の下側部分７０ａは弛みを生じ易い。
【００３０】
また、チェーン７０の下側部分７０ａにおいては、駆動スプロケット６０寄りに偏って弛みを生じ易い傾向にある。
つまり、開閉機４０によって駆動スプロケット６０を開閉体巻取り方向（図１によれば反時計方向）へ回転させた場合には、その回転方向が開閉体１０の重力方向に対向することから、駆動スプロケット６０を開閉体繰出し方向（図１によれば時計方向）へ回転させた場合と比較し、チェーン７０の下側部分７０ａの弛みが大きくなる。そして、この回転方向（反時計方向）において、チェーン７０の下側部分７０ａは、従動スプロケット５０側よりも駆動スプロケット６０に近い位置の方が早く弛みを生じ易い傾向にある。
【００３１】
そこで、本実施の形態のシャッター装置１では、感知部８０を、駆動スプロケット６０と従動スプロケット５０の間におけるチェーン７０の下側部分７０ａの下方であって、且つ駆動スプロケット６０寄りに配置することで、チェーン７０の弛みを感知する際の感知精度を良好にしている。
特に好ましくは、図１に示すように、感知部８０は、軸受ブラケット３０面上に投影した場合において、出力軸４０ａ中心からの距離が、軸本体２２中心と出力軸４０ａ中心との間の距離の２分の１よりも短い距離になるように、駆動スプロケット６０寄りに配置される。
更に好ましくは、感知部８０は、出力軸４０ａ中心からの距離が、軸本体２２中心と出力軸４０ａ中心との間の距離の３分の１よりも短い距離になるように、駆動スプロケット６０寄りに配置される。
また、図１に示されるように、感知部８０は、駆動スプロケット６０外周部の下端よりも下方であって、従動スプロケット５０外周部の下端よりも上方に配置されるのが好ましい。
【００３２】
なお、上記実施の形態では、感知部８０を常時有効にしたが、他の好ましい態様としては、駆動スプロケット６０を開閉体巻取り方向（図１によれば反時計方向）へ回転させた時のみ、感知部８０の出力信号を有効にし、駆動スプロケット６０を開閉体繰り出し方向（図１によれば時計方向）へ回転させた時には感知部８０の出力信号を無効にするようにしてもよい。
この構成によれば、上述したように、チェーン７０の下側部分７０ａが弛み易い状態で、感知部８０による感知が行われるため、より感知精度を向上することができる上、チェーン７０の弛みを効果的に感知することができる。
【００３３】
次に、本発明に係わるシャッター装置の他例について説明する。なお、以下に示すシャッター装置は、上述したシャッター装置１の一部分を変更したものであるため、主にその変更部分についてのみ詳細に説明し、上述したシャッター装置１と略同様の構成については、シャッター装置１と同一の符号を用いるとともに、重複する詳細説明を省略する。
【００３４】
図３に示すシャッター装置２は、上述した感知部８０を、感知部９０に置換したものである。
感知部９０は、チェーン７０の下側部分７０ａの長手方向に沿って長尺状に設けられるとともにその端部側を前記軸受ブラケットに固定した撓み片部９１と、該撓み片部９１の撓み方向側に設けられて撓んだ際の前記撓み片部９１を検知するスイッチ部９２とを具備してなる。
【００３５】
撓み片部９１は、バネ材等の弾性的に撓むことが可能な長尺板状の部材であり、チェーン７０における下側部分７０ａの下面に近接して、該下側部分７０ａの長手方向に沿って配設され、その先端側に下方向きの曲げ部分９１ａ（図３の一例によれば略へ字状の部分）を有し、その基端側部分を軸受ブラケット３０に止着している。前記曲げ部分９１ａは、チェーン７０の下側部分７０ａが撓み片部９１先端に引っ掛かり、撓み片部９１が変形や破損等するのを防ぐものである。
【００３６】
スイッチ部９２は、感知部８０と略同様のリミットスイッチであり、撓み片部９１の下方側に配置されて、上述した取付案内部３２により位置決めされ、軸受ブラケット３０側の面に設けられる永久磁石（図示せず）の磁力によって軸受ブラケット３０に吸着固定される。
【００３７】
上記構成のシャッター装置２によれば、従動スプロケット５０と駆動スプロケット６０の間においてチェーン７０の下側部分７０ａが弛むと、その弛んだ部分が撓み片部９１に当接し、撓み片部９１の先端側が下方へ撓む。したがって、撓んだ撓み片部９１がスイッチ部９２に当接し、スイッチ部９２が作動して感知信号を出力する。
【００３８】
このシャッター装置２によれば、撓み片部９１をチェーン７０における下側部分７０ａの長手方向へわたって長尺状に配置しているため、チェーン７０の下側部分７０ａが長手方向の何れの部分で弛んだ場合にも、その弛みを感知することができる。
また、弛んだ際のチェーン７０がスイッチ部９２に直接当接しないようにしているため、スイッチ部９２の損傷等を防ぐことができる。
【００３９】
次に、前記感知部８０（又は９０）によりチェーン７０の弛みを感知した場合に行う、チェーンテンション調整方法について説明する。
【００４０】
感知部８０の感知信号によるシャッター装置１の停止や警報等に基づき、チェーン７０のテンション調整を行う場合、先ず、開閉機４０の基台４０ｂを支持部材４１の取付面４１ａに止着している複数の軸状部材４２（ボルト）が緩められる。
【００４１】
次の工程では、開閉機４０における反スプロケット側（図５によれば左側）へ延設された部分を支持部材４１から引き離す。この際、基台４０ｂのスプロケット側（図５によれば右端側）を支点とした梃子の原理により、開閉機４０を容易に動かすことができる（図５（ｂ）参照）。
【００４２】
そして、次の工程では、前記工程で検知されたチェーン７０の弛みに応じて、開閉機４０の基台４０ｂと支持部材４１との間に、その側方側からスペーサ２００’が挿入される（図５（ｂ）参照）。
【００４３】
この際、必要に応じてスペーサ２００’の厚み又は枚数を変更する。
すなわち、チェーン７０の弛みが比較的小さい場合には、比較的薄いスペーサ２００’を用いるか、スペーサ２００’の枚数を比較的少なくする。
また、チェーン７０の弛みが比較的大きい場合には、比較的厚いスペーサ２００’を用いるか、スペーサ２００’の枚数を比較的多くする。
【００４４】
次の工程では、開閉機４０の反スプロケット側を支持部材４１側へ押し戻す（図６（ｃ）参照）。この際、上記した梃子の原理により、開閉機４０を容易に動かすことができる。
【００４５】
そして、前記のようにして開閉機４０の反スプロケット側を支持部材４１側へ押し戻しながら、あるいは押し戻した後に、スペーサ２００’を、その左右端部が、基台４０ｂの左右端部と略一致する定位置となるまで押し込む（図６（ｄ）参照）。
【００４６】
そして、次の工程として、緩めていた複数の軸状部材４２（ボルト）を全て締め付ける。
【００４７】
よって、上記方法によれば、チェーン７０の弛みの検知を感知部９０によって個人差なく簡単に行える上、チェーン７０の弛みを検知した後にその弛みを速やかに解消することができる。
【００４８】
なお、上記実施の形態によれば、感知部８０を該感知部８０に設けられた永久磁石８１の磁力によって軸受ブラケット３０に吸着固定したが、他例としては、軸受ブラケット３０側に磁石を設けるとともに感知部８０には磁性体を設け、これら磁石と磁性体の吸引力によって感知部８０を軸受ブラケット３０に吸着固定するようにしてもよい。さらに他例としては、感知部８０を両面テープや接着剤、ネジ等により軸受ブラケット３０に固定することも可能である。
【００４９】
また、上記感知部８０は、弛んだ際のチェーン７０を接触感知する構成としたが、この感知部の他例としては、弛んだ際のチェーン７０を非接触感知する構成（具他的には、光電管スイッチや、近接スイッチ等）とすることも可能である。
同様に、上記感知部９０は、撓んだ際の撓み片部９１を接触感知する構成としたが、この感知部の他例としては、撓んだ際の撓み片部９１を非接触感知する構成（具他的には、光電管スイッチや、近接スイッチ等）とすることも可能である。
【００５０】
また、上記チェーン７０は、上記実施の形態によれば、金属製のローラーチェーンとしているが、ゴム製チェーンやその他の材質のチェーン、あるいはベルト等とすることも可能である。
【００５１】
また、上記実施の形態において、開閉体１０は複数のスラットを連接してなる態様としたが、開閉体の他例としては、シート状部材、ネット状部材、パイプ、あるいはパネルを開閉方向へ連設してなる態様等、さらには、これらシート状部材、ネット状部材、スラット、パイプ、パネル等を適宜に組み合わせてなる態様等とすることも可能である。
【符号の説明】
【００５２】
１，２：シャッター装置                １０：開閉体
２０：巻取軸                          ３０：軸受ブラケット
３２：取付案内部                      ３２ａ：第１の受部
３２ｂ：第２の受部                    ４０：開閉機
５０：従動スプロケット                ６０：駆動スプロケット
７０：チェーン                        ７０ａ：下側部分
８０：感知部
【図１】
0005968594.tif 000002
【図２】
0005968594.tif 000003
【図３】
0005968594.tif 000004
【図４】
0005968594.tif 000005
【図５】
0005968594.tif 000006
【図６】
0005968594.tif 000007